(57)【要約】  システムリソースの割り当てについて、複数の基地局のカバレッジ領域を雑音発生および電力に関して評価することが可能な、方法およびシステムが開示される。基地局候補を決定するためにパス損失が測定され、アップリンクおよびダウンリンクを最適化するために、基地局候補から少なくとも１つのタイムスロットが選択される。
2007531334.tif 000002
【特許請求の範囲】
【請求項１】
無線送受信ユニット（ＷＴＲＵ）と複数の基地局との間のパス損失を測定するステップと、
前記パス損失の測定値に基づいて基地局候補を識別するステップと、
アップリンクおよびダウンリンク内の雑音発生の増加を推定するステップと、
アップリンクおよびダウンリンク内の必要な伝送電力の増加を推定するステップと、
最低量の雑音発生の増加を有するアップリンクおよびダウンリンクのタイムスロットを選択するステップと、
を備えることを特徴とする無線通信システムにおいてリソースを割り当てるための方法。
【請求項２】
前記選択されたアップリンクおよびダウンリンクのタイムスロットは、前記ＷＴＲＵに関して最低量のパス損失を有していないセル内にあることを特徴とする請求項１に記載の方法。
【請求項３】
前記選択されたアップリンクおよびダウンリンクのタイムスロットは、絶対値で表して最低量の雑音発生を有することを特徴とする請求項１に記載の方法。
【請求項４】
前記選択されたアップリンクおよびダウンリンクのタイムスロットは、最低量の雑音発生および必要な伝送電力の増加を有することを特徴とする請求項１に記載の方法。
【請求項５】
前記選択されたアップリンクおよびダウンリンクのタイムスロットは、その絶対値で表して最低量の雑音発生および必要な伝送電力を有することを特徴とする請求項４に記載の方法。
【請求項６】
前記基地局候補は、前記ＷＴＲＵに関して所定量よりも少ないパス損失を有する基地局であることを特徴とする請求項１に記載の方法。
【請求項７】
前記所定量は３ｄＢであることを特徴とする請求項６に記載の方法。
【請求項８】
システムリソースを割り当てるために複数のセルを評価することが可能な無線通信システムであって、
少なくとも１つの無線ネットワークコントローラと、
少なくとも１つの基地局が前記セルに関連付けられた複数のセルと、
それ自体と特定の基地局との間のパス損失を測定するように構成されたプロセッサをそれぞれが有する複数のＷＴＲＵと、を備え、
前記複数のＷＴＲＵは、雑音発生および必要な伝送電力の増加を推定するように、および、リソースを要求するＷＴＲＵに関して所定の値より少ないパス損失を有する複数のセルのうちの少なくとも１つのタイムスロット内のリソースを要求するように構成された、プロセッサをさらに含むことを特徴とする無線通信システム。
【請求項９】
リソースの要求先であるタイムスロットとセルとの組み合わせが、最低量の雑音発生の増加と最低量の必要な伝送電力の増加とを有するタイムスロットとセルとの組み合わせであることを特徴とする請求項８に記載の無線システム。
【請求項１０】
前記選択されたタイムスロットとセルとの組み合わせのセルは、ＷＴＲＵ要求システムリソースに関してパス損失が最低量のセルでないことを特徴とする請求項９に記載の無線システム。
【請求項１１】
前記所定量は３ｄＢであることを特徴とする請求項８に記載の無線システム。
【発明の詳細な説明】
【技術分野】
【０００１】
本発明は、無線通信システムに関する。より具体的に言えば、本発明は無線通信システムにおいて干渉を最小限にするためのリソース割り振りに関する。
【背景技術】
【０００２】
無線通信システムは、いくつかの方法で配置することができる。たとえば、セルラタイプシステムは、通常、オムニ形（ｏｍｎｉ）配置またはセクタ形配置を使用して配置される。図１にオムニ形配置１０が示される。オムニ形配置は、サイトそれぞれが基地局を備えた複数のサイトで構成され、この基地局は、水平面のすべての方向にほぼ均一に放射（受信）する送信（受信）アンテナを使用する。オムニ形配置は、通常、地方、マイクロセルラ網、および室内領域で使用される。
【０００３】
人口密度の高い地域でシステム容量を上げるためには、たとえばセクタ形配置が使用できる。セクタ形配置の一例５０が、図２に示される。セクタ形配置も複数のサイト（すなわちサイト１およびサイト２）で構成され、各サイトには基地局が含まれる。しかしながらセクタ形配置では、各サイトが複数のセクタに分割される。各セクタにカバレッジ（ｃｏｖｅｒａｇｅ）を与えるために、基地局はそのそれぞれのセクタそれぞれに対するトランシーバおよびアンテナを含み、各セクタ内のアンテナは異なるアーク内で放射／受信する。たとえば、基地局５２はトランシーバ５６ａ、５８ａ、６０ａを備え、それぞれがセクタ５６ｂ、５８ｂ、６０ｂに対して１２０度のアークで放射する。簡略化するために、下記では、セルはセクタ化された配置内のセクタまたは全方向性配置においてサイトによってカバーされた領域の、いずれかに対応できるという了解の下で、トランシーバによってカバーされた領域をセルと呼ぶ。
【０００４】
次に図３を参照し、引き続き単なる一例としてセルラタイプシステムを挙げると、セルラシステムは一般に、時間軸をフレームと呼ばれる等しい持続時間の連続する間隔に分割する。フレーム１００は、タイムスロットと呼ばれる等しい持続時間の有限数（Ｎｔ）の間隔に分割される。特定のセルを使用して、セルのタイムスロット割り当てによって定義されたように、いくつかまたはすべてのタイムスロットをアップリンクまたはダウンリンク伝送に使用することができる。各タイムスロット内で、スペクトル拡散技術を使用して無線信号の送信／受信用に有限数のコード（Ｎｃ）を異なるＷＴＲＵに割り当てることができる。コードおよびタイムスロットの組み合わせはチャネルとみなされ、ＷＴＲＵセットへのコードの割り振りはチャネル割り振りと呼ばれる。最適な割り振りは干渉を減少させ、システム容量を増加させることになる。
【０００５】
通常、ＷＴＲＵが無線システムにリソース（すなわちチャネルのセット）を要求した場合、ＷＴＲＵは第１に、ＷＴＲＵが最低のパス損失量を測定した基地局を選択する。一般にパス損失を測定するために、ＷＴＲＵは、ビーコン信号が受信されたときの測定電力をそれら信号の既知の伝送電力から減じる。ビーコン信号の伝送電力は、通常、システム情報の一部としてビーコン内で信号発信される。最低量のパス損失が測定された基地局は、ＷＴＲＵに最も近い基地局と呼ばれる。しかしながら、この基地局は必ずしも地理的な意味で最も近いとは限らないことに留意されたい。最も近い基地局が選択されると、次にＷＴＲＵにリソースが割り振られる。通常、割り振られるチャネルは、ＷＴＲＵが最低量の干渉を体験することになるタイムスロット内にある。
【０００６】
干渉は、２つのソース、セル内、およびセル間から生じる可能性がある。セル内干渉は、ＷＴＲＵによって認められる、同じセル内にＷＴＲＵとして存在する他のＷＴＲＵによる干渉である。セル間干渉は、ＷＴＲＵによって認められる、他のセル内に存在するＷＴＲＵからの干渉である。無線通信システムの中には、ＷＴＲＵによって認められるセル内干渉のほとんどを打ち消す、何らかのタイプのマルチユーザ検出（ＭＵＤ）を使用するものがある。ＴＤＤモード（３．８４Ｍｃｐｓおよび１．２８Ｍｃｐｓ）のＵＴＲＡは、こうしたシステムの一例である。これらのシステムでは、主にチャネル割り振りは、ＷＴＲＵによって認められるセル間干渉を最小化することに関係する。
【発明の開示】
【発明が解決しようとする課題】
【０００７】
セル間干渉に関して、通常、隣接するセルはタイムスロットと同期化されるため、隣接するセルはアップリンクおよびダウンリンクの伝送に同じタイムスロットを使用している。１つのセル内のＷＴＲＵにリソースを割り当てると、結果として、隣接するセル内へのセル間干渉を大幅に増加させる可能性がある。たとえば、ＷＴＲＵをタイムスロットに割り当てると、タイムスロットの干渉量は最低であっても、ＷＴＲＵを追加することにより、隣接するセル内の同じタイムスロットで動作するＷＴＲＵによって補償できない（すなわち、そのタイムスロットからリソースが割り当てられたＷＴＲＵを、満足のいく信号対干渉および雑音比（ＳＩＮＲ）を維持するのに十分な電力で伝送することができない）干渉が急激に増加する可能性がある。上記の機能不全は、ＷＴＲＵと、同じタイムスロット内で同じくリソースを割り当てられた隣接するセルからのＷＴＲＵとの間の、周知の電力均衡化効果（ｐｏｗｅｒ  ｂａｌａｎｃｉｎｇ  ｅｆｆｅｃｔ）によって発生する可能性がある。
【０００８】
電力均衡化は、たとえばＣＤＭＡタイプシステムなどの様々な無線通信システムで発生する現象である。ＣＤＭＡタイプシステムでは、システム内のすべてのＷＴＲＵが周波数スペクトルを共有するため、各ＷＴＲＵは他のＷＴＲＵの雑音／干渉を認める。信頼できる通信を達成するためには、ＳＩＮＲ比がある率を超えなければならない。新しいＷＴＲＵがシステムに追加された場合、システム内の干渉は増加する。これによって、システム内の既存のＷＴＲＵは、ＳＩＮＲをそのある率を超えた状態で維持するためにその電力を増加させる。既存のＷＴＲＵからの電力の増加により、新しいＷＴＲＵへの干渉が増加する。新しいＷＴＲＵは、ＳＩＮＲを維持するために再度その電力を増加させる。このパターンは、ＳＩＮＲが安定するまで続けられる。ＳＩＮＲが安定しない場合、１つまたは複数のＷＴＲＵは機能不全を経験することになる。従来技術には、現在の干渉レベルおよびシステムに対する新しいＷＴＲＵの相対的パス損失に基づいて、干渉の増加を予測するためのメカニズムがある。このメカニズムを使用して、予測される干渉の増加が最も少ないタイムスロットを選択することができる。しかしながら、このセルおよび隣接するセルのタイムスロット内のリソースが完全に使用されていない（すなわち、ＭＵＤの特典が完全に認識されていない）が、このセル内の新しいＷＴＲＵに好適なタイムスロットがこのセル内にないケースが存在する可能性がある。これがブロックされたＷＴＲＵの承認につながることになる。
【０００９】
したがって、こうした制限なしに無線通信システムにおいてリソースを割り当てるための方法およびシステムを提供することが望ましい。
【課題を解決するための手段】
【００１０】
本発明は、システムリソースの割り当てのための雑音発生（ｎｏｉｓｅ  ｒｉｓｅ）および電力に関して複数の基地局のカバレッジ領域を評価することが可能な、方法およびシステムである。基地局候補を決定するためにパス損失が測定され、アップリンクおよびダウンリンクの最適化のために基地局候補の中から少なくとも１つのタイムスロットが選択される。
【発明を実施するための最良の形態】
【００１１】
以下、無線送受信ユニット（ＷＴＲＵ）は、ユーザ機器、移動局、固定または移動式加入者ユニット、ページャ、あるいは無線環境で動作可能な任意の他のタイプのデバイスを含むが、これらに限定されるものではない。以下で言及される場合、基地局は、ノードＢ、サイトコントローラ、アクセスポイント、または無線環境における任意の他のタイプのインターフェースデバイスを含むが、これらに限定されるものではない。さらに本発明を説明しやすいように、本明細書ではセルおよび基地局という用語は相互に交換可能に使用される。
【００１２】
次に図４を参照すると、無線通信システム２００が示される。システムリソースを最適化するために複数の基地局のカバレッジ領域に関して雑音発生および電力を評価することが可能な、無線通信システム２００が示される。便宜上、カバレッジ領域はセルと呼ばれることになるが、もちろんカバレッジ領域への言及は、本発明がインプリメントされているシステムのタイプ、または使用されているインターフェースデバイスのタイプに応じて、変化することになる。
【００１３】
システム２００は、少なくとも１つの無線ネットワークコントローラ２０２、少なくとも１つの基地局２０４、および複数のＷＴＲＵ  ２０６、２１０を含む。システム２００は、セクタ形配置で配置されているものとして示されている。したがって基地局２０４は、それぞれセル２１８、２２０、２２２に対応するトランシーバ２１２、２１４、２１６を含む。もちろん、この配置はオペレータの設定に応じて変化する場合がある。配置およびシステム２００構成要素は、本発明が、たとえばセル内干渉を処理するためのマルチユーザ検出（ＭＵＤ）などの何らかのタイプの結合検出を使用する任意のタイプの無線システムでインプリメント可能な場合に、本発明がインプリメントされている特定タイプの無線システムに応じて変化する場合もある。
【００１４】
第１のＷＴＲＵ  ２０６がセル２２０内で動作しており、第２のＷＴＲＵ  ２１０が、たとえばハンドオーバまたはシステム２００との初期関連付けの結果としてシステムリソースを要求していると想定する。ＷＴＲＵ  ２１０は、それ自体といくつかのセルとの間のパス損失を測定する。当技術分野で知られているように、ＷＴＲＵ  ２１０はパス損失を測定するためのプロセッサ２０８を含む。この例では、ＷＴＲＵ  ２１０はそれ自体とセル２１８、２２０、２２２との間のパス損失を測定すると想定する。最低のパス損失を有するセルの所定のマージン内にあるパス損失を有するセル、ならびに、最低のパス損失を有するセルは、ＷＴＲＵがリソースを要求できるセルであるという点で、セル候補とみなされる。これは、ＷＴＲＵの割り当てに関して評価可能な使用可能なタイムスロットを効果的に増加させる。すなわち従来技術では、評価可能なタイムスロットの数は、最低のパス損失を備えたセルのタイムスロットである。本発明の教示によれば、追加のセルを考慮に入れることが可能であるため（すなわち、最低のパス損失を備えた所定の領域内のパス損失を有するセル）、ＷＴＲＵへのシステムリソースの割り当てについて評価することが可能な追加のタイムスロットがある。所定のマージンは、所望に応じていかなるマージンも可能である。しかしながら現在の好ましい実施形態では、およそ５ｄＢの所定のマージンが好ましい。
【００１５】
たとえば、ＷＴＲＵ  ２１０がそのパス損失測定を実行する場合、セル２２２はＸｄＢのパス損失を有し、セル２２０および２１８はそれぞれＸ＋１ｄＢおよびＸ＋３ｄＢのパス損失を有すると想定する。従来技術では、セル２２２が最低量のパス損失を有する（すなわち最も近いセル）ため、ＷＴＲＵ２１０は通常、セル２２２内のタイムスロットに割り当てられることになる。しかしながら背景技術で説明したように、隣接するセル（すなわち、ＷＲＵとセルとの間のパス損失が必ずしも最低のパス損失ではないセル、ただし、システムはＭＵＤを利用して電力均衡化効果を避けることになるセル）にＷＴＲＵを割り当てることが有利な場合がある。すなわち、ＭＵＤの特典を利用するためには、セル間のパス損失の相違が所定のマージン内であるそれらの最も近いセル以外のセルにＷＴＲＵを割り当てることが、意味を成す場合がしばしばある。伝送の際のパス損失が大きいことの欠点が、必要な電力の増加およびシステムに対して生成される干渉の増加であることは明らかである。しかしながら、パス損失の相違が小さい（たとえば＜３ｄＢ）場合、セル内干渉を消失させるためにＭＵＤを完全に利用することの利点の方が、前述の欠点よりも上回る。パス損失の相違が小さい（たとえば＜３ｄＢ）場合、空であるか、そうでなければ使用可能な隣接するセル内の対応するタイムスロットではなく、既存のユーザを備えたタイムスロット内に新しいＷＴＲＵを配置する方が、より有利である。その主な理由は、ＭＵＤが、この新しいＷＴＲＵが既存のＷＴＲＵに対して発生させることになるセル内干渉を打ち消すことになるため、および、さらにＷＴＲＵが隣接するセル内に配置される場合の、電力均衡化の潜在的な危険（すなわち、セル内干渉がＭＵＤによって打ち消されることがないため、インテリジェントに管理する必要がある）を回避することになるためである。したがって、セル２２０および２１８は、最低のパス損失を有するセル２２２から３ｄＢの範囲内であるパス損失を有するため、これら３つのセル２２２、２２０、２１８はすべて、ＷＴＲＵ  ２１０のサービス提供セルとなる潜在的な候補である。
【００１６】
最終的にＷＴＲＵ  ２１０のサービス提供セルとして選択されるセルは、ＷＴＲＵ  ２１０の割り当てが、選択されたセルに関してのみではなく他のセル候補に関してもシステムリソースを最適化する、セルである。システムリソースを最適化するとして識別されるセルは、好ましくは雑音発生および伝送電力に基づいて評価される。もちろん、この評価は雑音発生または伝送電力を使用して実行することもできる。
【００１７】
好ましくは、雑音発生に関して測定される基準は雑音発生の増加である。すなわち、アップリンク接続の場合、ＷＴＲＵの追加の結果として基地局が経験する干渉の追加量が測定される。同様に、ダウンリンク接続の場合、システムへの追加の結果としてＷＴＲＵが経験する干渉の追加量が測定される。結果として追加の干渉が最低量となるタイムスロット／セルの組み合わせは、リソースの割り当てのための好ましいタイムスロット／セルの組み合わせである。雑音発生を評価する場合に好ましい基準は雑音発生の増加であるが、雑音発生の絶対値も使用可能であることに留意されたい。
【００１８】
伝送電力に関して、好ましくは、測定される基準は合計の伝送電力（すなわち、特定の接続に必要な伝送電力のみではない）の増加である。すなわち、ダウンリンク接続の場合、ＷＴＲＵの追加の結果として基地局が必要とする追加の伝送電力量が測定される。同様に、アップリンク接続の場合、システムに追加される結果としてＷＴＲＵが必要とする追加の伝送電力量が測定される。必要な追加の伝送電力が最低量となるタイムスロット／セルの組み合わせが、リソースの割り当てに好ましいタイムスロット／セルの組み合わせである。伝送電力を評価する場合に好ましい基準は必要な伝送電力の増加であるが、伝送電力の絶対値も使用可能であることに留意されたい。
【００１９】
セル候補の各タイムスロットにおける雑音発生および／または必要な伝送電力の増加を推定するため、ならびに、評価されている接続に関して雑音発生および／または必要な伝送電力の増加が最低のセルおよびタイムスロットの組み合わせを選択するために、ＷＴＲＵ（ＷＴＲＵ  ２１０を参照のこと）、少なくとも１つの基地局２０４、および少なくとも１つのＲＮＣ  ２０２内に、プロセッサ２３０、２３２、２３４をそれぞれ提供することが可能である。各システム構成要素内にこうしたプロセッサを有することで、適切なセル／タイムスロットの推定および選択が、所望に応じて任意のシステム構成要素内で実行できるようになる。
【００２０】
当業者であれば周知のように、雑音発生の増加の予測がＭＵＤを考慮に入れることは重要である。たとえば図４で、セル２２２はパス損失量が最低のセルである。しかしながら、最低量の雑音発生の増加は、ＷＴＲＵ  ２１０をセル２２０（すなわち、パス損失が最低のセル以外のセル）に割り当てることによって導入される場合がしばしばある。これが生じる可能性があるのは、たとえば、ＷＴＲＵ  ２１０をＷＴＲＵ  ２０６と同じセルに割り当てることで、追加のセル間干渉がＷＴＲＵ  ２１０と２０６との間で生成される可能性がなくなるため、および、ＭＵＤによるいかなる追加のセル内干渉も発生させないためである。
【００２１】
チャネルを割り当てる元となる可能なタイムスロットのより大きなプールを有する（すなわち、使用可能なタイムスロット／セルにセル候補の数を掛ける）ことで、隣接するセル間のセル間干渉も最低限にすること、さらにそれによってシステムリソースの使用を最適化することが可能である。すなわち、選択元となる複数のセルがある（すなわち、パス損失が最低のセルの所定の領域内にあるパス損失を有する少なくとも１つのセルがある）状況では、異なるセル内のＷＴＲＵを異なるタイムスロットに割り当てることが好ましい場合がある。したがってこうした状況では、セル２１８および２２２内のＷＴＲＵが異なるタイムスロットに割り当てられるように、ＷＴＲＵ  ２１０および２０６をセル２２０内の同じタイムスロットに割り当てることが可能である。たとえば、他のＷＴＲＵがシステムリソースを要求した場合、セル２１８は、アップリンク内の雑音発生および／またはダウンリンク内の必要な電力の増加が最も少なくなるセルとして識別されると想定する。新しいＷＴＲＵが、隣接するセル２２０内で同じ目的（すなわち、アップリンクまたはダウンリンク）に使用されるタイムスロットとは異なるセル２１８内のタイムスロットに割り当てられることが好ましい。
【００２２】
その他の方法で本発明がインプリメントされているシステム内で可能である、アップリンクおよびダウンリンク内の異なるセルに、ＷＴＲＵを割り当てることが可能なことにも留意されたい。すなわちこれは、１つのセル内のタイムスロットがダウンリンクの最適化に関して最良であり、異なるセル内のタイムスロットがアップリンクの最適化に関して最良であるケース、またはその反対のケースで可能である。別々のアップリンクおよびダウンリンクセルを有することができないシステムでは、最高の利得をシステムに与えるサービス提供セルを選択することが有利な場合がある。これは、アップリンクおよびダウンリンク内での相対的利得の典型的なコスト／重み付け機能としてインプリメント可能である。さらに、輻輳、トラフィック非対称などの要素を、同様に考慮の対象とすることもできる（たとえば、高度に非対称なトラフィックについてのみ、ダウンリンクを最適化する）。
【００２３】
次に図５を参照すると、本発明に従ったシステムリソースの割り振りのためにセル候補を評価するための方法４００が示されている。この方法は、ステップ４０２の、ＷＴＲＵといくつかのセルとの間のパス損失を推定することで始まる。パス損失の測定は、ＷＴＲＵまたは基地局のいずれかによって実行可能である。次にステップ４０４では、セル候補が識別される。前述のように、セル候補は、ＷＴＲＵにリソースを割り当てることができる元となるセルである。セル候補は、好ましくは、パス損失が最低のセルの所定のマージン内にあるＷＴＲＵに関してパス損失を有するセルである。
【００２４】
ステップ４０６では、基地局（アップリンク内）またはＷＴＲＵ（ダウンリンク内）での雑音発生の増加の推定、および／または、基地局（ダウンリンク内）またはＷＴＲＵ（アップリンク内）での必要な伝送電力の推定が、各セル候補の各タイムスロットについて算出される。雑音発生の増加の予測は、ＷＴＲＵがそのセル内に配置されると想定するセルの雑音発生の正確な推定を提供するために、ＭＵＤの効果を考慮に入れる。推定が完了すると、システムリソースを最適化するセル／タイムスロットの割り当てが選択され（ステップ４０８）、それらからリソースが要求される。すなわち、評価される方向（すなわちアップリンクまたはダウンリンク）で、雑音発生の増加が最低量となる、および／または伝送電力の増加が最低量となる、セルとタイムスロットの組み合わせが選択され、その選択されたセルとタイムスロットの組み合わせを使用して、リソースが割り当てられる。最適なセルおよびタイムスロットの選択により、異なる方向（すなわちアップリンクまたはダウンリンク）で、同じかまたは異なるセルからＷＴＲＵにリソースが割り当てられることになる。
【００２５】
以下で、本発明の教示を使用して実行されるシミュレーションの結果について考察する。前述のように、本発明はシステム容量を増加させるために、結合チャネル／セル割り振りを使用する。本発明によれば、ＷＴＲＵは、その最も近いセル、または、最も近いセルのパス損失のマージン（たとえば３ｄＢ）内のパス損失を有する任意のセルの、いずれかに割り振ることができる。場合によっては、タイムスロットパッキングの増加が、増加したパス損失のコストを上回る。予測された雑音発生を使用して、各ＷＴＲＵを最良のセルおよびタイムスロットに割り振る。シミュレーションでは、コードは考慮の対象としなかった。本発明は大規模な統計的レベルで研究され、システム容量を増加させることがわかったが、話を簡単にするために、本明細書では小規模なシミュレーションの結果について考察する。
【００２６】
シミュレーションを実行するために、以下の方法がインプリメントおよびシミュレートされた。
【００２７】
１）ＷＴＲＵとそのサービス提供セルとの間、ならびにＷＴＲＵとその隣接するセルとの間の、パス損失を推定する。この推定は、アップリンクおよびダウンリンクの両方の、電力、干渉、およびＳＩＲの測定値を使用して実行された。パス損失は以下の数式（数式１）を使用して計算され、この式でＴｘ電力は伝送電力であり、ＳＩＮＲは信号対干渉および雑音比である。
【００２８】
パス損失（ｄＢ）＝Ｔｘ電力（ｄＢ）−ＳＩＮＲ（ｄＢ）−（干渉および雑音）（ｄＢｍ）                        数式１
２）ＷＴＲＵからセル候補（ＰＬｃ）へのパス損失が、サービス提供セル（Ｐｌｃ）へのパス損失のマージン（たとえば３ｄＢ）内である、サービス提供セル候補のリストを作成する。サービス提供セルは、ＷＴＲＵとシステム内のすべてのセルとの間の最低パス損失として定義される。
【００２９】
３）セル候補を選択し、ＷＴＲＵおよび基地局がシステムに承認されたかどうかを知覚することになる雑音発生を推定する。この推定は、セル候補内のすべての使用可能なタイムスロットについて実行される。
【００３０】
４）ダウンリンクで、雑音発生推定値および候補および隣接する基地局の間のパス損失を使用して、基地局候補および隣接する基地局によって要求される電力の増加を推定する。基地局候補および隣接する基地局によって要求される最低平均電力を提供する、セル候補を選択する。
【００３１】
５）アップリンクで、ＷＴＲＵと各基地局候補、およびＷＴＲＵと各隣接する基地局との間のパス損失を使用して、基地局候補および隣接する基地局が経験する雑音発生を推定する。基地局候補および隣接する基地局が経験する最低平均干渉を提供する、セル候補を選択する。前に説明したように、ノイズ上昇推定はＭＵＤを考慮に入れる。
【００３２】
ダウンリンクにおけるシミュレーションは、以下の想定に基づいて実行された。
【００３３】
１）サイト間距離は５２３メートル
２）基地局アンテナ利得は１１ｄＢｉ
３）対数正規シャドウイング（Ｌｏｇ  ｎｏｒｍａｌ  ｓｈａｄｏｗｉｎｇ）、使用される場合は標準偏差１０ｄＢ、セル間の相関なし
４）パス損失モデル：Ｈａｔａ  Ｍｏｄｅｌ  Ｕｒｂａｎ中規模都市（Ｒａｐｐａｐｏｒｔ）へのＰＣＳ拡張
５）最低結合損失：６５ｄＢ、および
６）ＳＩＲ目標：０．７ｄＢ（１２．２ｋｂｐｓユーザの１コードをシミュレート）
数枚のスナップ写真を撮影し、本発明の特典を公開するために作図した。本発明は、ブロックおよびドロップされる呼び出しの数を大幅に改善し、場合によっては、いくつかまたはすべてのセルでドロップされる呼び出しが完全になくなる。タイムスロットパッキングの増加が見られ、これは容量の増加を表す。改善はセル全体にわたって均一に分散されるものではなく、場合によってはあるセルが他のセルよりも多くの改善を示す。
【００３４】
シャドウイングなしで２０００のＷＴＲＵのロードが提供されたシミュレーションの実際の結果を、以下に示す。もちろん、本発明はシャドウイングありでもインプリメント可能である。シャドウイングなしの場合、ほとんどのセルは１つまたは２つのタイムスロットしか使用せず、シャドウイングがオンになると、使用されるタイムスロットの数が大幅に増加し、容量は大幅に減少する。以下に示された結果では、タイムスロットパッキングはセル全体にわたって増加し、ドロップおよびブロックされた呼び出しはほぼ完全になくなる。以下に示された結果は、７つのオムニ形セルおよび５つのタイムスロットに関するものである。
【００３５】
本発明を使用しない場合：
提供されたロード：２０００  ＷＴＲＵ
ドロップ率：７．４４６８％
絶対ドロップ率：７％
ブロック率：６％
ユーザ満足度：９２．５５３２％
サービス対象ユーザ：８７％
ＷＴＲＵ切り替えセル数：０％
本発明を使用した場合：
提供されたロード：２０００  ＷＴＲＵ
ドロップ率：０％
絶対ドロップ率：０％
ブロック率：０．０５％
ユーザ満足度：１００％
サービス対象ユーザ：９９．９５％
ＷＴＲＵ切り替えセル数：４．２５％
本発明は、所望に応じて、ＭＵＤを採用する任意のタイプの無線通信システムでインプリメント可能であることに留意されたい。例を挙げると、本発明は、ＵＭＴＳ−ＴＤＤおよびＴＤＳＣＤＭＡ、またはそれに類似した任意の他のタイプの無線通信システムでインプリメント可能である。さらに、本発明について様々な実施形態で表して説明してきたが、当業者であれば、添付の特許請求の範囲で概説した本発明の範囲内にある他の変形形態が明らかとなろう。
【図面の簡単な説明】
【００３６】
【図１】無線通信システムのオムニ形配置を示す図である。
【図２】無線通信システムのセクタ形配置を示す図である。
【図３】各タイムスロットが複数のチャネルを有する、複数のタイムスロットを有するフレームを示す図である。
【図４】システムリソースを最適化するために、複数のセルに関して雑音発生および電力を評価することが可能な無線通信システムを示す図である。
【図５】システムリソースの割り振りのためにセル候補を評価するための方法を示す図である。
【図１】
2007531334.tif 000003
【図２】
2007531334.tif 000004
【図３】
2007531334.tif 000005
【図４】
2007531334.tif 000006
【図５】
2007531334.tif 000007
【国際調査報告】
2007531334.tif 000008